【事件の表示】
　特願２００２−１６６００３「インクの選択による印刷性能の特徴の変更」拒絶査定不服審判事件〔平成１６年　１月１５日出願公開、特開２００４−　　９５２７〕について、次のとおり審決する。
【結　論】
　本件審判の請求は、成り立たない。
【理　由】
第１　手続の経緯
　本件出願（以下「本願」という。）は、平成１４年６月６日の出願であって、平成１９年７月１３日付けで拒絶の理由が通知され、同年９月２５日付けで手続補正がされたが、同年１２月１２日付けで拒絶査定がなされ、これに対し、平成２０年１月１７日に本件審判が請求されるとともに、同年２月１３日付けで明細書についての手続補正がなされたものである。
　
第２　平成２０年２月１３日付けの手続補正についての補正の却下の決定
［補正の却下の決定の結論］
  平成２０年２月１３日付けの手続補正（以下「本件補正」という。）を却下する。
〔理由〕
１　補正の内容
（１）本件補正は、特許請求の範囲及び発明の詳細な説明を補正するものであり、特許請求の範囲については、本件補正前に平成１９年９月２５日付け手続補正後の特許請求の範囲に、
「【請求項１】　同一のインクを吐出する複数のノズルで構成されるノズル群を複数有する印刷ヘッドを備え、前記印刷ヘッドと印刷媒体とを相対的に移動させる主走査と、前記主走査の方向と交わる方向に相対的に移動させる副走査を行うとともに、主走査中にノズルから印刷媒体上にインクを吐出することによって、画像の印刷を行う印刷装置であって、　互いに組み合わせて用いることにより無彩色を表現可能な複数の基本色インクとブラックインクとを含む標準インクと、前記基本色インクの中のいずれかのインクと色相がほぼ同一で濃度が薄い第１淡インクと、を含む第１インクセットのそれぞれのインクを吐出するために利用可能な複数のノズル群を有する印刷ヘッドと、
　前記各ノズル群に供給するためのインクをそれぞれ収容するためのインクタンクを有する１つまたは複数のインクカートリッジを装着可能なインクカートリッジ装着部と、
　を備え、
　前記標準インクのインクタンクを交換せずに、前記第１淡インクのインクタンクをブラック系インクのインクタンクに交換することで、前記第１インクセットとは異なるインクセットを利用した印刷を行うことが可能な、印刷装置。
　　【請求項２】　請求項１に記載の印刷装置であって、
　・・・、印刷装置。
　　【請求項３】　請求項１または請求項２に記載の印刷装置であって、
　・・・、印刷装置。
　　【請求項４】　請求項１ないし請求項３のいずれかに記載の印刷装置であって、
　・・・、印刷装置。
　　【請求項５】　請求項１ないし請求項４のいずれかに記載の印刷装置であって、
　・・・、印刷装置。
　　【請求項６】　請求項１ないし請求項５のいずれかに記載の印刷装置であって、
　・・・、印刷装置。
　　【請求項７】　請求項６に記載の印刷装置であって、
　・・・、印刷装置。
　　【請求項８】　請求項１ないし請求項７のいずれかに記載の印刷装置であって、
　・・・、印刷装置。
　　【請求項９】　請求項１ないし請求項８のいずれかに記載の印刷装置であって、
　・・・、印刷装置。
　　【請求項１０】　請求項１ないし請求項９のいずれかに記載の印刷装置であって、
　・・・、印刷装置。
　　【請求項１１】　請求項１ないし請求項１０のいずれかに記載の印刷装置であって、
　・・・、印刷装置。
　　【請求項１２】　請求項１ないし請求項１１のいずれかに記載の印刷装置であって、
　・・・、備える印刷装置。
　　【請求項１３】　請求項１２に記載の印刷装置であって、
　・・・、印刷装置。
　　【請求項１４】　請求項１３に記載の印刷装置であって、
　・・・、印刷装置。
　　【請求項１５】　請求項１３または請求項１４に記載の印刷装置であって、
　・・・、印刷装置。
　　【請求項１６】　請求項１２ないし請求項１５のいずれかに記載の印刷装置であって、
　・・・印刷装置。
　　【請求項１７】　同一のインクを吐出する複数のノズルで構成されるノズル群を複数有する印刷ヘッドを備え、前記印刷ヘッドと印刷媒体とを相対的に移動させる主走査と、前記主走査の方向と交わる方向に相対的に移動させる副走査を行うとともに、主走査中にノズルから印刷媒体上にインクを吐出することによって、画像の印刷を行う印刷部に、供給すべき印刷データを生成する印刷制御装置であって、
　前記印刷部は、
　互いに組み合わせて用いることにより無彩色を表現可能な複数の基本色インクとブラックインクとを含む標準インクと、前記基本色インクの中のいずれかのインクと色相がほぼ同一で濃度が薄い第１淡インクと、を含む第１インクセットのそれぞれのインクを吐出するために利用可能な複数のノズル群を有する印刷ヘッドと、
　前記各ノズル群に供給するためのインクをそれぞれ収容するためのインクタンクを有する１つまたは複数のインクカートリッジを装着可能なインクカートリッジ装着部と、
　を備え、
　前記標準インクのインクタンクを交換せずに、前記第１淡インクのインクタンクをブラック系インクのインクタンクに交換することで、前記第１インクセットとは異なるインクセットを利用した印刷を行うことが可能であり、
　前記印刷制御装置は、
　利用するインクが異なる複数のインク色印刷モードの中から、利用するインク色印刷モードを選択することをユーザに許容する印刷モード選択部と、
　前記印刷モード選択部で選択されたインク色印刷モードに対応する印刷データを生成する印刷データ生成部と、
を備えることを特徴とする、印刷制御装置。
　　【請求項１８】　請求項１７に記載の印刷制御装置であって、
・・・、印刷制御装置。
　　【請求項１９】　同一のインクを吐出する複数のノズルで構成されるノズル群を複数有する印刷ヘッドを備え、前記印刷ヘッドと印刷媒体とを相対的に移動させる主走査と、前記主走査の方向と交わる方向に相対的に移動させる副走査を行うとともに、主走査中にノズルから印刷媒体上にインクを吐出することによって、画像の印刷を行う印刷装置を用いて印刷を行う印刷方法であって、
（ａ）互いに組み合わせて用いることにより無彩色を表現可能な複数の基本色インクとブラックインクとを含む標準インクと、前記基本色インクの中のいずれかのインクと色相がほぼ同一で濃度が薄い第１淡インクと、を含む第１インクセットのそれぞれのインクを吐出するために利用可能な複数のノズル群を有する印刷ヘッドを準備する工程と、
（ｂ）前記各ノズル群に供給するためのインクをそれぞれ収容するためのインクタンクを有する１つまたは複数のインクカートリッジを装着可能なインクカートリッジ装着部を準備する工程と、
（ｃ）前記標準インクのインクタンクを交換せずに、前記第１淡インクのインクタンクをブラック系インクのインクタンクに交換することで、前記第１インクセットとは異なるインクセットを利用した印刷を行う工程と、
　を備える、印刷方法。
　　【請求項２０】
　同一のインクを吐出する複数のノズルで構成されるノズル群を複数有する印刷ヘッドを備え、前記印刷ヘッドと印刷媒体とを相対的に移動させる主走査と、前記主走査の方向と交わる方向に相対的に移動させる副走査を行うとともに、主走査中にノズルから印刷媒体上にインクを吐出することによって、画像の印刷を行う印刷部に、供給すべき印刷データを生成する印刷制御方法であって、
　前記印刷部は、
　互いに組み合わせて用いることにより無彩色を表現可能な複数の基本色インクとブラックインクとを含む標準インクと、前記基本色インクの中のいずれかのインクと色相がほぼ同一で濃度が薄い第１淡インクと、を含む第１インクセットのそれぞれのインクを吐出するために利用可能な複数のノズル群を有する印刷ヘッドと、
　前記各ノズル群に供給するためのインクをそれぞれ収容するためのインクタンクを有する１つまたは複数のインクカートリッジを装着可能なインクカートリッジ装着部と、
　を備え、
　さらに、前記標準インクのインクタンクを交換せずに、前記第１淡インクのインクタンクをブラック系インクのインクタンクに交換することで、前記第１インクセットとは異なるインクセットを利用した印刷を行うことが可能であり、
　前記印刷制御方法は、
（ａ）利用するインクが異なる複数のインク色印刷モードの中から、利用するインク色印刷モードを選択することをユーザに許容する工程と、
（ｂ）前記工程（ａ）で選択されたインク色印刷モードに対応する印刷データを生成する工程と、
　を備えることを特徴とする、印刷制御方法。
　　【請求項２１】　印刷部に供給すべき印刷データを生成するための処理をコンピュータに実行させるためのコンピュータプログラムであって、
　前記印刷部は、
　　同一のインクを吐出する複数のノズルで構成されるノズル群を複数有する印刷ヘッドと、
　　前記各ノズル群に供給するためのインクをそれぞれ収容するためのインクタンクを有する１つまたは複数のインクカートリッジを装着可能なインクカートリッジ装着部と、
　備え、
　前記印刷部は、前記印刷ヘッドと印刷媒体とを相対的に移動させる主走査と、前記主走査の方向と交わる方向に相対的に移動させる副走査を行うとともに、主走査中にノズルから印刷媒体上にインクを吐出することによって、画像の印刷を行い、
　前記印刷ヘッドは、互いに組み合わせて用いることにより無彩色を表現可能な複数の基本色インクとブラックインクとを含む標準インクと、前記基本色インクの中のいずれかのインクと色相がほぼ同一で濃度が薄い第１淡インクと、を含む第１インクセットのそれぞれのインクを吐出するために利用可能な複数のノズル群を有し、
　さらに、前記印刷部は、前記標準インクのインクタンクを交換せずに、前記第１淡インクのインクタンクをブラック系インクのインクタンクに交換することで、前記第１インクセットとは異なるインクセットを利用した印刷を行うことが可能であり、
　前記コンピュータプログラムは、
（ａ）利用するインクが異なる複数のインク色印刷モードの中から、利用するインク色印刷モードを選択することをユーザに許容する機能と、
（ｂ）前記機能（ａ）で選択されたインク色印刷モードに対応する印刷データを生成する機能と、
　を前記コンピュータに実現させることを特徴とする、コンピュータプログラム。
」とあったものを、
　
「【請求項１】　同一のインクを吐出する複数のノズルで構成されるノズル群を複数有する印刷ヘッドを備え、前記印刷ヘッドと印刷媒体とを相対的に移動させる主走査と、前記主走査の方向と交わる方向に相対的に移動させる副走査を行うとともに、主走査中にノズルから印刷媒体上にインクを吐出することによって、画像の印刷を行う印刷装置であって、　互いに組み合わせて用いることにより無彩色を表現可能な
シアンインクとマゼンタインクとイエロインクとを含む
前記シアンインクと前記マゼンタインクとの内のいずれか
　前記各ノズル群に供給するためのインクをそれぞれ収容するためのインクタンクを有する１つまたは複数のインクカートリッジを装着可能なインクカートリッジ装着部と、
　を備え、
　前記標準インクのインクタンクを交換せずに、前記第１淡インクのインクタンクをブラック系インクのインクタンクに交換することで、前記第１インクセットとは異なるインクセットを利用した印刷を行うことが可能な、印刷装置。
　　【請求項２】　請求項１に記載の印刷装置であって、
・・・、印刷装置。
　　【請求項３】　請求項１または請求項２に記載の印刷装置であって、
・・・、印刷装置。
　　【請求項４】　請求項１ないし請求項３のいずれかに記載の印刷装置であって、
・・・、印刷装置。
　　【請求項５】　請求項１ないし請求項４のいずれかに記載の印刷装置であって、
・・・、印刷装置。
　　【請求項６】　請求項１ないし請求項５のいずれかに記載の印刷装置であって、
・・・、印刷装置。
　　【請求項７】　請求項６に記載の印刷装置であって、
・・・、印刷装置。
　　【請求項８】　請求項１ないし請求項７のいずれかに記載の印刷装置であって、
・・・、印刷装置。
　　【請求項９】　請求項１ないし請求項８のいずれかに記載の印刷装置であって、
・・・、印刷装置。
　　【請求項１０】　請求項１ないし請求項９のいずれかに記載の印刷装置であって、
・・・、印刷装置。
　　【請求項１１】　請求項１ないし請求項１０のいずれかに記載の印刷装置であって、・・・、印刷装置。
　　【請求項１２】　請求項１ないし請求項１１のいずれかに記載の印刷装置であって、・・・、備える印刷装置。
　　【請求項１３】　請求項１２に記載の印刷装置であって、
・・・、印刷装置。
　　【請求項１４】　請求項１３に記載の印刷装置であって、
・・・、印刷装置。
　　【請求項１５】　請求項１３または請求項１４に記載の印刷装置であって、
・・・、印刷装置。
　　【請求項１６】　請求項１２ないし請求項１５のいずれかに記載の印刷装置であって、
・・・
　印刷装置。
　　【請求項１７】　同一のインクを吐出する複数のノズルで構成されるノズル群を複数有する印刷ヘッドを備え、前記印刷ヘッドと印刷媒体とを相対的に移動させる主走査と、前記主走査の方向と交わる方向に相対的に移動させる副走査を行うとともに、主走査中にノズルから印刷媒体上にインクを吐出することによって、画像の印刷を行う印刷部に、供給すべき印刷データを生成する印刷制御装置であって、
　前記印刷部は、
　互いに組み合わせて用いることにより無彩色を表現可能な
シアンインクとマゼンタインクとイエロインクとを含む
前記シアンインクと前記マゼンタインクとの内のいずれか
　前記各ノズル群に供給するためのインクをそれぞれ収容するためのインクタンクを有する１つまたは複数のインクカートリッジを装着可能なインクカートリッジ装着部と、
　を備え、
　前記標準インクのインクタンクを交換せずに、前記第１淡インクのインクタンクをブラック系インクのインクタンクに交換することで、前記第１インクセットとは異なるインクセットを利用した印刷を行うことが可能であり、
　前記印刷制御装置は、
　利用するインクが異なる複数のインク色印刷モードの中から、利用するインク色印刷モードを選択することをユーザに許容する印刷モード選択部と、
　前記印刷モード選択部で選択されたインク色印刷モードに対応する印刷データを生成する印刷データ生成部と、
を備えることを特徴とする、印刷制御装置。
　　【請求項１８】　請求項１７に記載の印刷制御装置であって、
・・・、印刷制御装置。
　　【請求項１９】　同一のインクを吐出する複数のノズルで構成されるノズル群を複数有する印刷ヘッドを備え、前記印刷ヘッドと印刷媒体とを相対的に移動させる主走査と、前記主走査の方向と交わる方向に相対的に移動させる副走査を行うとともに、主走査中にノズルから印刷媒体上にインクを吐出することによって、画像の印刷を行う印刷装置を用いて印刷を行う印刷方法であって、
（ａ）互いに組み合わせて用いることにより無彩色を表現可能な
シアンインクとマゼンタインクとイエロインクとを含む
前記シアンインクと前記マゼンタインクとの内のいずれか
（ｂ）前記各ノズル群に供給するためのインクをそれぞれ収容するためのインクタンクを有する１つまたは複数のインクカートリッジを装着可能なインクカートリッジ装着部を準備する工程と、
（ｃ）前記標準インクのインクタンクを交換せずに、前記第１淡インクのインクタンクをブラック系インクのインクタンクに交換することで、前記第１インクセットとは異なるインクセットを利用した印刷を行う工程と、
　を備える、印刷方法。
　　【請求項２０】
　同一のインクを吐出する複数のノズルで構成されるノズル群を複数有する印刷ヘッドを備え、前記印刷ヘッドと印刷媒体とを相対的に移動させる主走査と、前記主走査の方向と交わる方向に相対的に移動させる副走査を行うとともに、主走査中にノズルから印刷媒体上にインクを吐出することによって、画像の印刷を行う印刷部に、供給すべき印刷データを生成する印刷制御方法であって、
　前記印刷部は、
　互いに組み合わせて用いることにより無彩色を表現可能な
シアンインクとマゼンタインクとイエロインクとを含む
前記シアンインクと前記マゼンタインクとの内のいずれか
　前記各ノズル群に供給するためのインクをそれぞれ収容するためのインクタンクを有する１つまたは複数のインクカートリッジを装着可能なインクカートリッジ装着部と、
　を備え、
　さらに、前記標準インクのインクタンクを交換せずに、前記第１淡インクのインクタンクをブラック系インクのインクタンクに交換することで、前記第１インクセットとは異なるインクセットを利用した印刷を行うことが可能であり、
　前記印刷制御方法は、
（ａ）利用するインクが異なる複数のインク色印刷モードの中から、利用するインク色印刷モードを選択することをユーザに許容する工程と、
（ｂ）前記工程（ａ）で選択されたインク色印刷モードに対応する印刷データを生成する工程と、
　を備えることを特徴とする、印刷制御方法。」に補正するものである。（下線は当審で引いた。また、一部の記載を省略し、その省略箇所を「・・・」で示した。）
　
（２）本件補正前の特許請求の範囲の全請求項数は２１であり、その請求項１ないし１６に係る発明は「印刷装置」に、その請求項１７及び１８に係る発明は「印刷制御装置」に、その請求項１９に係る発明は「印刷方法」に、その請求項２０に係る発明は「印刷制御方法」に、その請求項２１に係る発明は「コンピュータプログラム」に、それぞれ関するものである。
　他方、本件補正後の特許請求の範囲の全請求項数は２０であり、その請求項１ないし１６に係る発明は「印刷装置」に、その請求項１７及び１８に係る発明は「印刷制御装置」に、その請求項１９に係る発明は「印刷方法」に、その請求項２０に係る発明は「印刷制御方法」に、それぞれ関するものである。
　そうすると、本件補正は、請求項２１を削除する補正を含んでおり、また、その記載ぶりから、本件補正後の請求項１は、本件補正前の請求項１に対応していることは明らかである。
　そして、本件補正後の請求項１に係る補正は、本件補正前の請求項１の発明特定事項である「複数の基本色インク」について、「シアンインクとマゼンタインクとイエロインクとを含む複数の基本色インク」として、「複数の基本色インク」に含まれるインクの種類を限定し、「前記基本色インクの中のいずれかのインク」について、「前記シアンインクと前記マゼンタインクとの内のいずれか」として、「基本色インクの中のいずれかのインク」の種類を限定したものである。
　
２　補正の目的
　本件補正後の請求項１に係る補正は、上記１（２）のとおり、本件補正前の請求項１の発明特定事項を限定するものであるから、平成１８年法律第５５号改正附則第３条第１項によりなお従前の例によるとされる同法による改正前の特許法第１７条の２第４項第２号に掲げる特許請求の範囲の減縮（第三十六条第五項の規定により請求項に記載した発明を特定するために必要な事項を限定するものであつて、その補正前の当該請求項に記載された発明とその補正後の当該請求項に記載される発明の産業上の利用分野及び解決しようとする課題が同一であるものに限る。）を目的とするものである。
　
　したがって、本件補正後の請求項１に係る発明（以下「本願補正発明」という。）が、特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
３　刊行物
（１）本願出願前に頒布された刊行物であって、原査定の拒絶の理由に引用された特開２０００−３３４９８４号公報（以下「引用文献１」という。）には、以下の記載が図示とともにある。
　ア　「【０００５】本発明の目的は、装置全体のサイズやコストの増大を招くことなく、カラー画像と高階調な黒系画像の記録が可能な記録装置を提供することにある。」
　イ　「【０００８】（第１の実施形態）図１，図２に、本発明を適用したインクジェットプリンタの一例の概略斜視図を示す。
【０００９】図１において、被記録媒体（以下、「メディア」とも称する）Ｍは、副走査モータ１によって図中矢印Ｒ方向に回転駆動されるプラテンローラ２及び不図示の搬送ローラ群により、図中矢印Ｆ方向に送られる。このメディア搬送方向（副走査方向）と直交する方向に沿って、ガイドシャフト３ａ及び３ｂが平行に配置されている。インクジェット記録ヘッド５を搭載可能なキャリッジ４は、主走査モータ６の駆動力によって、ガイドシャフト３ａ，３ｂにガイドされつつ、図中矢印Ｓ方向（主走査方向）に往復走査される。
【００１０】メディアＭは、副走査モータ１によって間欠送りされ、メディアＭが停止しているときに、インクジェット記録ヘッド５が主走査方向に走査される。その記録ヘッド５の走査時に、画像信号に応じたインク滴を記録ヘッド５が吐出して、メディアＭに画像を記録する。
【００１１】インクジェット記録ヘッド５は、シアンインク吐出用のインクジェット記録ヘッド部５ａと、マゼンタインク吐出用のインクジェット記録ヘッド部５ｂと、イエローインク吐出用のインクジェット記録ヘッド部５ｃとを、一体化した構成となっている。図２において、５′は、記録ヘッド５と交換可能にキャリッジ４に搭載されるインクジェット記録ヘッドである。この記録ヘッド５′は、染料濃度が４重量％の第１黒インク吐出用のインクジェット記録ヘッド部５ａ′と染料濃度が２重量％の第２黒インク吐出用のインクジェット記録ヘッド部５ｂ′と、染料濃度が１重量％の第３黒インク吐出用のインクジェット記録ヘッド部５ｃ′とを一体化した構成となっている。
【００１２】記録ヘッド５は、記録ヘッド部５ａ，５ｂ，５ｃと、それらによって吐出すべきインクを収容したインクタンクとを一体化したインクジェットカートリッジとして構成してもよい。記録ヘッド５′も同様である。また、記録ヘッド５，５′は、インクを吐出するための吐出エネルギーとして熱エネルギーを発生すべく、電気熱変換体（ヒーター）を備えた構成とすることができる。
【００１３】図１のように、インクジェット記録ヘッド５をキャリッジ４に装填した場合には、フルカラー画像を記録することができる。一方、図２のように、インクジェットヘッド５′をキャリッジ４に装填した場合には、医療用画像に適した高階調の白黒画像を記録することができる。
　ウ　「【００１９】図３において、５１〜５６は、それぞれキャリッジ４に搭載可能なインクジェット記録ヘッドである。すなわち、５１は、染料濃度が４重量％の第１シアンインク吐出用のインクジェット記録ヘッドであり、その第１シアンインクを収容するインクカートリッジを搭載した構成となっている。５２は、染料濃度が４重量％の第１マゼンタインク吐出用のインクジェット記録ヘッドであり、その第１マゼンタインクを収容するインクカートリッジを搭載した構成となっている。５３は、染料濃度が４重量％のイエローインク吐出用のインクジェット記録ヘッドであり、そのイエローインクを収容するインクカートリッジを搭載した構成となっている。５４は、染料濃度が４重量％の第１黒インク吐出用のインクジェット記録ヘッドであり、その第１黒インクを収容するインクカートリッジを搭載した構成となっている。
【００２０】５５は、染料濃度が２重量％の第２シアンインクを収容するインクカートリッジと、染料濃度が２重量％の第２黒インクを収容するインクカートリッジとが、交換可能に搭載されるインクジェット記録ヘッドである。前者の第２シアンインクのカートリッジを搭載した状態、つまり第２シアンインク吐出用として構成された状態を図３中の符号５５によって示す。また、後者の第２黒インクのカートリッジを搭載した状態、つまり第２黒インク吐出用として構成された状態を図４中の符号５５′によって示す。
【００２１】５６は、染料濃度が２重量％の第２マゼンタインクを収容するカートリッジと、染料濃度が１重量％の第３黒インクを収容するインクカートリッジとが、交換可能に搭載されるインクジェット記録ヘッドである。前者の第２マゼンタインクのカートリッジを搭載した状態、つまり第２マゼンタインク吐出用として構成された状態を図３中の符号５６によって示す。また、後者の第３黒インクのカートリッジを搭載した状態、つまり第３黒インク吐出用として構成された状態を図４中の符号５６′によって示す。」
　エ　「【００２３】このように構成することによって、装置全体のサイズや装置コストを増大させることなく、高精細なフルカラー画像と、カラー画像部分を含む高階調の白黒画像と、を記録することができる。すなわち、図３のように、第２シアンインクのカートリッジと第２マゼンタインクのカートリッジを装填して、記録ヘッド５５，５６を成した場合には、いわゆる「写真調」の高精細なフルカラー画像を記録することができる。一方、図４のように、第２黒インクのカートリッジと第３黒インクのカートリッジを装填して、記録ヘッド５５′，５６′を成した場合には、前述したようなカラー画像部分を含む高階調の白黒画像を記録することができる。」
　オ　「【００２７】また、本発明は医療用プリンタとしての適用のみに限定されたものではなく、家庭用やオフィス用等の一般用のプリンタとしても適用可能である。」
　カ　「【００３１】さらに、記録装置が記録できる記録媒体の最大幅に対応した長さを有するフルラインタイプの記録ヘッドに対しても本発明は有効に適用できる。そのような記録ヘッドとしては、複数記録ヘッドの組合せによってその長さを満たす構成や、一体的に形成された１個の記録ヘッドとしての構成のいずれでもよい。
【００３２】加えて、上例のようなシリアルタイプのものでも、装置本体に固定された記録ヘッド、あるいは装置本体に装着されることで装置本体との電気的な接続や装置本体からのインクの供給が可能になる交換自在のチップタイプの記録ヘッド、あるいは記録ヘッド自体に一体的にインクタンクが設けられたカートリッジタイプの記録ヘッドを用いた場合にも本発明は有効である。」
　
（２）上記（１）アないしカから、引用文献１には次の発明（以下「引用発明１」という。）が記載されていると認める。
　「被記録媒体は副走査方向に間欠送りされ、被記録媒体が停止しているときに、インクジェット記録ヘッドを搭載可能なキャリッジは、ガイドシャフトにガイドされ、インクジェット記録ヘッドが副走査方向に直交するガイドシャフトに沿って主走査方向に走査され、その記録ヘッドの走査時に、画像信号に応じたインク滴を記録ヘッドが吐出して、被記録媒体に画像を記録する記録装置であって、染料濃度が４重量％の第１シアンインクを収容するインクカートリッジを搭載した第１のインクジェット記録ヘッドと、染料濃度が４重量％の第１マゼンタインクを収容するインクカートリッジを搭載した第２のインクジェット記録ヘッドと、染料濃度が４重量％のイエローインクを収容するインクカートリッジを搭載した第３のインクジェット記録ヘッドと、染料濃度が４重量％の第１黒インクを収容するインクカートリッジを搭載した第４のインクジェット記録ヘッドと、染料濃度が２重量％の第２シアンインクを収容するインクカートリッジを搭載した第５のインクジェット記録ヘッドと、染料濃度が２重量％の第２マゼンタインクを収容するインクカートリッジを搭載した第６のインクジェット記録ヘッドとを備え、前記第５のインクジェット記録ヘッドと前記第６のインクジェット記録ヘッドとに、前記第２シアンインクのカートリッジと前記第２マゼンタインクのカートリッジとを装填した場合には、「写真調」の高精細なフルカラー画像を記録することができ、前記第５のインクジェット記録ヘッドと前記第６のインクジェット記録ヘッドとに、染料濃度が２重量％の第２黒インクのカートリッジと染料濃度が１重量％の第３黒インクのカートリッジとを装填した場合には、カラー画像部分を含む高階調の白黒画像を記録することができる記録装置。」
４　対比
　本願補正発明と引用発明１とを対比する。
（１）引用発明１の「被記録媒体」は、本願補正発明の「印刷媒体」に相当する。
（２）引用発明１の「第１のインクジェット記録ヘッドないし第６のインクジェット記録ヘッド」と、本願補正発明の「同一のインクを吐出する複数のノズルで構成されるノズル群を複数有する印刷ヘッド」及び「互いに組み合わせて用いることにより無彩色を表現可能なシアンインクとマゼンタインクとイエロインクとを含む複数の基本色インクとブラックインクとを含む標準インクと、前記シアンインクと前記マゼンタインクとの内のいずれかと色相がほぼ同一で濃度が薄い第１淡インクと、を含む第１インクセットのそれぞれのインクを吐出するために利用可能な複数のノズル群を有する印刷ヘッド」とは、「印刷ヘッド」という点で一致する。
（３）引用発明１の「印刷ヘッド（インクジェット記録ヘッド）」は、「印刷媒体（被記録媒体）が停止しているとき」に、「主走査方向に走査され」て「印刷媒体（被記録媒体）に画像を記録」していることから、「主走査方向」の走査の際に「印刷媒体（被記録媒体）」と相対的に移動させられていることは明らかである。
　してみれば、引用発明１の「『主走査方向』の『走査』」は、本願補正発明の「印刷ヘッドと印刷媒体とを相対的に移動させる主走査」に相当する。
（４）引用発明１の「印刷媒体（被記録媒体）」は、「副走査方向に間欠送りされ」ており、かつ、引用発明１の「インクジェット記録ヘッド」は「副走査方向に直交するガイドシャフトに沿って主走査方向に走査され」ていることから、引用発明１の「『副走査方向』の送り」は、本願補正発明の「主走査の方向と交わる方向に相対的に移動させる副走査」に相当する。
（５）引用発明１の「記録ヘッドの走査時に、画像信号に応じたインク滴を記録ヘッドが吐出して、印刷媒体（被記録媒体）に画像を記録する記録装置」は、「主走査中にノズルから印刷媒体上にインクを吐出することによって、画像の印刷を行う印刷装置」に相当する。
（６）引用発明１の「染料濃度が４重量％の第１シアンインク」、「染料濃度が４重量％の第１マゼンタインク」、「染料濃度が４重量％のイエローインク」及び「染料濃度が４重量％の第１黒インク」は、それぞれ本願補正発明の「シアンインク」、「マゼンタインク」、「イエロインク」及び「ブラックインク」に相当する。
  ここで、「シアンインク」、「マゼンタインク」及び「イエロインク」は、滅法混色における三原色であるから、互いに組み合わせて使うことにより、無彩色を表現可能であることは当然である。
（７）引用発明１の「染料濃度が２重量％の第２シアンインク」又は「染料濃度が２重量％の第２マゼンタインク」は、それぞれシアンインク（第１シアンインク）、マゼンタインク（第１マゼンタインク）よりも染料濃度が低いものであるから、本願補正発明の「シアンインクと前記マゼンタインクとの内のいずれかと色相がほぼ同一で濃度が薄い第１淡インク」に相当する。
（８）引用発明１の「染料濃度が２重量％の第２黒インク」又は「染料濃度が１重量％の第３黒インク」は、それぞれブラックインクであるから、本願補正発明の「ブラック系インク」に相当する。
（９）引用発明１の「前記第５のインクジェット記録ヘッドと前記第６のインクジェット記録ヘッドとに、前記第２シアンインクのカートリッジと前記第２マゼンタインクのカートリッジとを装填した場合には、「写真調」の高精細なフルカラー画像を記録することができ、前記第５のインクジェット記録ヘッドと前記第６のインクジェット記録ヘッドとに、第２黒インクのカートリッジと第３黒インクのカートリッジとを装填した場合には、カラー画像部分を含む高階調の白黒画像を記録することができる」とは、「第１のインクジェット記録ヘッド」ないし「第４のインクジェット記録ヘッド」については、各インクのカートリッジを交換するものではなく、第５のインクジェット記録ヘッド及び第６のインクジェット記録ヘッドのみについて各インクのカートリッジを交換するものである。
　してみれば、引用発明１の「前記第５のインクジェット記録ヘッドと前記第６のインクジェット記録ヘッドとに、前記第２シアンインクのカートリッジと前記第２マゼンタインクのカートリッジとを装填した場合には、「写真調」の高精細なフルカラー画像を記録することができ、前記第５のインクジェット記録ヘッドと前記第６のインクジェット記録ヘッドとに、第２黒インクのカートリッジと第３黒インクのカートリッジとを装填した場合には、カラー画像部分を含む高階調の白黒画像を記録することができる」は、本願補正発明の「前記標準インクのインクタンクを交換せずに、前記第１淡インクのインクタンクをブラック系インクのインクタンクに交換することで、印刷を行うことが可能な」に相当する。
（１０）上記（１）ないし（９）からみて、本願補正発明と引用発明１とは、
　
　「印刷ヘッドを備え、前記印刷ヘッドと印刷媒体とを相対的に移動させる主走査と、前記主走査の方向と交わる方向に相対的に移動させる副走査を行うとともに、主走査中にノズルから印刷媒体上にインクを吐出することによって、画像の印刷を行う印刷装置であって、
　互いに組み合わせて用いることにより無彩色を表現可能なシアンインクとマゼンタインクとイエロインクとブラックインクと、前記シアンインクと前記マゼンタインクとの内のいずれかと色相がほぼ同一で濃度が薄い第１淡インクとを吐出する印刷ヘッドと、
　を備え、
　前記標準インクのインクタンクを交換せずに、前記第１淡インクのインクタンクをブラック系インクのインクタンクに交換することで、印刷を行うことが可能な、印刷装置。」の点で一致し、以下の点で相違する。
　
＜相違点１＞
　印刷ヘッドについて、本願補正発明は「同一のインクを吐出する複数のノズルで構成されるノズル群を複数有する」及び「互いに組み合わせて用いることにより無彩色を表現可能なシアンインクとマゼンタインクとイエロインクとを含む複数の基本色インクとブラックインクとを含む標準インクと、前記シアンインクと前記マゼンタインクとの内のいずれかと色相がほぼ同一で濃度が薄い第１淡インクと、を含む第１インクセットのそれぞれのインクを吐出するために利用可能な複数のノズル群を有する」と特定されているのに対し、引用発明１は本願補正発明のようなノズル群を複数有しない点。
　
＜相違点２＞
　本願補正発明は「前記各ノズル群に供給するためのインクをそれぞれ収容するためのインクタンクを有する１つまたは複数のインクカートリッジを装着可能なインクカートリッジ装着部と、を備え」と特定されているのに対し、引用発明１は、本願補正発明のようなインクカートリッジ装着部を有しているのか定かでない点。
　
＜相違点３＞
　本願補正発明は「前記第１インクセットとは異なるインクセットを利用した印刷を行うことが可能」と特定されているのに対し、引用発明１は、本願補正発明のようなインクセットを利用した印刷を行うことができるか定かでない点。
　
５　判断
　上記相違点について検討する。
（１）相違点１について
　同一のインクを吐出する複数のノズルで構成されるノズル群を複数有する印刷ヘッドは、本願出願前に周知である（例：特開２００１−３４１２９３号公報（段落【０００９】及び図３等参照。）、特開２００１−２８７３４９号公報（段落【００１９】及び【００２０】並びに図２等参照。）及び特開２００２−６７３１７号公報（段落【０００１】及び段落【０００６】等参照。）以下「周知技術」という。）から、引用発明１の「「第１のインクジェット記録ヘッドないし第６のインクジェット記録ヘッド」を、同一のインクを吐出する複数のノズルで構成されるノズル群を複数有する印刷ヘッドとし、そのノズル群を「シアンインクとマゼンタインクとイエロインクとブラックインクと、前記シアンインクと前記マゼンタインクとの内のいずれかと色相がほぼ同一で濃度が薄い第１淡インク」のそれぞれのインクを吐出するために利用可能な複数のノズル群とすることは、引用発明１に周知技術を適用したにすぎない。
　また、「シアンインク」、「マゼンタインク」、「イエロインク」とを含む複数のインクを「基本色インク」とすること、当該「基本色インク」と「ブラックインク」とを含むインクを「標準インク」とすること、当該「標準インク」と「第１淡インク」とを含むインクを「第１インクセット」とすることは、それぞれ単に呼称をどのように規定するかの問題にすぎず、なんら技術的な相違点ではない。
　したがって、引用発明１において、上記相違点に係る本願補正発明の構成となすことは、当業者が周知技術に基づいて容易になし得るものである。
（２）相違点２について
  引用発明１の「インクジェット記録ヘッド」は、インクカートリッジを搭載していることから、何らかの「インクカートリッジを装着可能な」構造を有していることは明らかである。
　また、引用発明１の「記録装置」は、「インクジェット記録ヘッドを搭載可能なキャリッジ」を備えているから、引用発明１の「インクジェット記録ヘッド」が搭載された「キャリッジ」における「インクカートリッジを装着可能な」構造は、本願補正発明の「前記各ノズル群に供給するためのインクをそれぞれ収容するためのインクタンクを有する１つまたは複数のインクカートリッジを装着可能なインクカートリッジ装着部」に相当する。
　してみれば、上記相違点２は、実質的な相違点ではない。
（３）相違点３について
上記（１）と同様に、引用発明１の「シアンインクとマゼンタインクとイエロインクとブラックインクとブラック系インク」とを含むインクを、「第１インクセットとは異なるインクセット」とすることも、何ら技術的な相違点ではない。
　してみれば、上記相違点３は、実質的な相違点ではない。
（４）効果について
　本願補正発明の奏する効果は、引用発明１の奏する効果及び周知技術の奏する効果から当業者が予測できた程度のものである。
（５）まとめ
　以上の検討によれば、本願補正発明は、当業者が、引用文献１に記載された発明及び周知技術に基づいて容易に発明することができたものであるから、特許法第２９条第２項の規定により特許出願の際独立して特許を受けることができないものである。
　
６　小括
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。 
　
第３　本願発明について
１　本願発明
　本件補正は上記のとおり却下されたので、本願の請求項１に係る発明は、平成１９年９月２５日付け手続補正後の特許請求の範囲の記載からみて、その特許請求の範囲の請求項１に記載された事項により特定されるものであるところ、その請求項１に係る発明（以下「本願発明」という。）は、上記「第２〔理由〕１（１）」で本件補正前の請求項１として記載したものである。
　
２　刊行物
　原査定の拒絶の理由に引用された刊行物及びその記載事項は、前記「第２〔理由〕３」に記載したとおりである。
　
３　対比・判断
　本願補正発明は、前記「第２〔理由〕１（２）」で検討したとおり、本願発明の発明特定事項を限定したものである。
　そうすると、本願発明の発明特定事項を全て含み、さらに限定を付加したものに相当する本願補正発明が、前記「第２〔理由〕５」に記載したとおり、当業者が引用文献１に記載された発明及び周知技術に基づいて容易に発明をすることができたものであるから、本願発明も、同様の理由により、当業者が引用文献１に記載された発明及び周知技術に基づいて容易に発明をすることができたものである。
　
４　むすび
　以上のとおり、本願発明は、当業者が引用文献１に記載された発明及び周知技術に基づいて容易に発明をすることができたものであるから、特許法第２９条第２項の規定により特許を受けることができない。
　よって、結論のとおり審決する。